(57)【特許請求の範囲】
【請求項１】
プリント注文端末と、プリント処理装置とを備えるプリントシステムであって、
前記プリント注文端末は、
画像の入力を受け付ける画像入力部と、
前記画像のプリントオーダー情報の入力を受け付けるプリントオーダー情報入力部と、
前記プリントオーダー情報に識別子を付与する識別子付与部と、
前記識別子が付与されたプリントオーダー情報を前記プリント処理装置に送信するプリントオーダー情報送信部と、
前記識別子をプリントした受付票を出力する受付票出力部とを備え、
前記プリント処理装置は、
前記プリントオーダー情報送信部から送信されたプリントオーダー情報を格納するプリントオーダー情報格納部と、
前記受付票にプリントされた識別子を読み取る識別子読み取り部と、
前記識別子読み取り部によって識別子が読み取られると、該読み取られた識別子に対応するプリントオーダー情報を前記プリントオーダー情報格納部から取得し、前記プリントオーダー情報に従ってプリントを実行する複数のプリンタと、
前記複数のプリンタの動作状況を監視するプリンタ監視部と、
前記複数のプリンタのうちのいずれかにおいて不具合が検出された場合に、前記不具合が検出されたプリンタに前記プリントの実行を中断させる第１のプリンタ制御部であって、前記プリントの実行が中断された場合に、前記複数のプリンタのうちから前記中断されたプリントを再開するのに適したプリンタを選択し、前記プリントを再開するのに適したプリンタの選択結果を、前記プリントの実行が中断されたプリンタに対応して設けられた表示手段に出力する第１のプリンタ制御部とを備え、
前記第１のプリンタ制御部は、前記中断されたプリントを再開するのに適したプリンタに前記中断されたプリントの実行予約を指示する予約情報を送信し、
前記予約情報を受信したプリンタは、前記予約情報に基づくプリント再開の指示を受け付け、前記予約情報に基づいて前記中断されたプリントを再開し、
前記第１のプリンタ制御部は、前記プリントが中断されたプリンタ以外のすべてのプリンタにおいてプリントが実行中であることが前記プリンタ監視部により検出された場合に、プリント再開を待つように促す通知を出力する一方、前記プリントが中断されたプリンタ以外のプリンタによるプリントが停止したことが検出された場合に、前記プリントが停止したプリンタにおいて、前記中断されたプリントを再開するよう促す通知を出力する、プリントシステム。
【請求項２】
前記プリント注文端末は、
前記プリントオーダー情報に基づいてプリント代金を算出し、前記プリント代金の決済処理を行う決済処理部と、
前記決済処理部により、前記プリントオーダー情報に関する決済処理が終了したことを前記プリント処理装置に通知する決済終了通知部とを更に備え、
前記プリント処理装置は、
前記プリントオーダー情報送信部から送信され、前記プリントオーダー情報格納部に格納されたプリントオーダー情報に基づくプリントの実行を不許可とし、前記プリントオーダー情報に関する決済処理が終了したことが前記決済終了通知部から通知された場合に、前記プリントオーダー情報に基づくプリントの実行を許可する第２のプリンタ制御部を更に備える、請求項１記載のプリントシステム。
【請求項３】
前記プリント処理装置は、
前記プリントオーダー情報に基づいてプリント代金を算出し、前記プリント代金の決済処理を行う決済処理部と、
前記決済処理部による決済処理が終了したことを検出する決済終了検出部と、
前記プリントオーダー情報送信部から送信され、前記プリントオーダー情報格納部に格納されたプリントオーダー情報に基づくプリントの実行を不許可とし、前記プリントオーダー情報に関する決済処理が終了したことが前記決済終了検出部によって検出された場合に、前記プリントオーダー情報に基づくプリントの実行を許可する第２のプリンタ制御部と、
を更に備える、請求項１記載のプリントシステム。
【請求項４】
前記決済終了検出部は、前記受付票にプリントされた識別子を読み取って、前記識別子に対応するプリントオーダー情報に関する決済処理が終了したことを検出する、請求項３記載のプリントシステム。
【請求項５】
前記プリントオーダー情報入力部は、前記画像のプリント枚数及びプリントサイズを示す情報をプリントオーダー情報として受け付ける、請求項１から４のいずれか１項記載のプリントシステム。
【請求項６】
前記受付票出力部は、前記識別子を含むバーコード又は２次元コードを生成して前記受付票にプリントする、請求項１から５のいずれか１項記載のプリントシステム。
【請求項７】
前記予約情報を受信したプリンタは、前記識別子読み取り部によって前記識別子が読み取られた場合に、前記予約情報に基づいて前記中断されたプリントを再開する、請求項１から６のいずれか１項記載のプリントシステム。
【請求項８】
前記識別子読み取り部は、前記複数のプリンタに対応して複数備えられており、
前記中断されたプリントを再開するプリンタに対応する識別子読み取り部によって前記識別子が読み取られた場合に、該プリントを再開するプリンタにより、前記中断されたプリントを再開させる、請求項１から６のいずれか１項記載のプリントシステム。
【請求項９】
前記プリントオーダー情報格納部は、前記プリントが中断された時点で未プリントの画像に関するプリントオーダー情報を格納する、請求項１から８のいずれか１項記載のプリントシステム。
【請求項１０】
前記予約情報は、前記プリントが中断された時点で未プリントの画像に関するプリントオーダー情報を含む、請求項１から８のいずれか１項記載のプリントシステム。
【請求項１１】
前記第１のプリンタ制御部は、前記複数のプリンタの稼働状況、各プリンタの消耗材の残量及び前記中断されたプリントの実行に必要な消耗材の量のうち少なくとも１つの情報に基づいて、前記中断されたプリントを再開するのに適したプリンタを選択する、請求項１から１０のいずれか１項記載のプリントシステム。
【請求項１２】
前記第１のプリンタ制御部は、前記プリントが中断されてから所定の期間以内に、前記中断されたプリントが他のプリンタにおいて再開されなかった場合、前記プリントオーダー情報を前記プリントオーダー情報格納部から削除する、請求項１から１１のいずれか１項記載のプリントシステム。
【請求項１３】
プリント注文端末から送信されたプリントオーダー情報を格納するプリントオーダー情報格納部と、
前記プリントオーダー情報に付与された識別子がプリントされた受付票から該識別子を読み取る識別子読み取り部と、
前記識別子読み取り部によって識別子が読み取られた場合に、該読み取られた識別子に対応するプリントオーダー情報を前記プリントオーダー情報格納部から取得し、前記プリントオーダー情報に従ってプリントを実行する複数のプリンタと、
前記複数のプリンタの動作状況を監視するプリンタ監視部と、
前記複数のプリンタのうちのいずれかにおいて不具合が検出された場合に、前記不具合が検出されたプリンタに前記プリントの実行を中断させるプリンタ制御部であって、前記プリントの実行が中断された場合に、前記複数のプリンタのうちから前記中断されたプリントを再開するのに適したプリンタを選択し、前記プリントを再開するのに適したプリンタの選択結果を、前記プリントの実行が中断されたプリンタに対応して設けられた表示手段に出力するプリンタ制御部とを備え、
前記プリンタ制御部は、前記中断されたプリントを再開するのに適したプリンタに前記中断されたプリントの実行予約を指示する予約情報を送信し、
前記予約情報を受信したプリンタは、前記予約情報に基づくプリント再開の指示を受け付け、前記予約情報に基づいて前記中断されたプリントを再開し、
前記プリンタ制御部は、前記プリントが中断されたプリンタ以外のすべてのプリンタにおいてプリントが実行中であることが前記プリンタ監視部により検出された場合に、プリント再開を待つように促す通知を出力する一方、前記プリントが中断されたプリンタ以外のプリンタによるプリントが停止したことが検出された場合に、前記プリントが停止したプリンタにおいて、前記中断されたプリントを再開するよう促す通知を出力する、プリント処理装置。
【請求項１４】
前記予約情報を受信したプリンタは、前記識別子読み取り部によって前記識別子が読み取られた場合に、前記予約情報に基づいて前記中断されたプリントを再開する、請求項１３記載のプリント処理装置。
【発明の詳細な説明】
【技術分野】
【０００１】
本発明はプリントシステム及びプリント処理装置に係り、特に利用者から画像のプリント注文を受け付けて画像のプリントを行うプリントシステム及びプリント処理装置に関する。
【背景技術】
【０００２】
特許文献１には、写真感光材料に対するプリント処理を行う画像露光部を有する複数台の写真処理装置と、プリント処理の注文を受け付け、写真処理装置にプリント処理を行わせる端末処理装置とから構成されたプリント処理システムが開示されている。特許文献１のプリント処理システムでは、１の写真処理装置においてプリント処理を中断又は中止する状態（トラブル）が発生した場合に、トラブルの解消に要する時間又はトラブルの内容に基づいて他の写真処理装置にプリント処理を移管するか否かを判定し、他の写真処理装置にプリント処理を移管すると判定した場合に、設置場所、装填されるペーパーの種類又は稼働状況に基づいて移管先の写真処理装置を決定するように構成されている。
【０００３】
特許文献２には、メモリカードから画像データを読み出し、この画像データの写真プリントメディアへの書き込み処理を受け付けるプリント受付システムが開示されている。特許文献２のプリント受付システムでは、注文操作が中断された場合に、中断オーダー番号を発行し、注文操作の再開時に中断オーダー番号を受付端末に入力するように構成されている。
【先行技術文献】
【特許文献】
【０００４】
【特許文献１】特開２００５−１８９４１１号公報
【特許文献２】特開２００７−１９３５８０号公報
【発明の概要】
【発明が解決しようとする課題】
【０００５】
特許文献１では、各写真処理装置に露光エンジン及び現像処理部が設けられており、利用者は各写真処理装置で写真を受け取ることができる。しかしながら、各端末にプリンタを設けるのは端末の購入コストに加えて端末の管理のためのコストがかかる。
【０００６】
また、特許文献１では、プリントの中断時に、プリント処理の移管の可否、及び移管先の他の写真処理装置が端末処理装置により決定される。このため、特許文献１のプリント処理システムは、プリントを実行する端末の決定、及び写真の受け取り場所について利用者の自由度が少なく、店頭で一般の利用者が利用するには適さない。
【０００７】
特許文献２では、受付端末からの入力に従って画像のプリント処理を実行してプリンタから排出された写真を利用者ごとに仕分けし、利用者からプリント料金を受け取って、仕分けした写真の中から利用者の写真を探し出して引き渡す作業が必要になる。このため、特許文献２では、プリント処理の実行及び写真の仕分け作業と、プリント料金の受け取り及び写真の引き渡し作業のために複数の店員が常駐する必要が生じる。
【０００８】
また、特許文献２では、利用者が注文を入力してから写真を受け取るまでに待ち時間が生じ、利用者が好きなときにプリント処理を実行したり、写真を受け取ることはできない。
【０００９】
本発明はこのような事情に鑑みてなされたもので、画像のプリント処理のための設備に要するコスト及び人的コストを抑えることができ、且つ、利用者が所望のタイミングで写真を受け取ることができるプリントシステム及びプリント処理装置を提供することを目的とする。
【課題を解決するための手段】
【００１０】
上記課題を解決するために、本発明の第１の態様に係るプリントシステムは、プリント注文端末と、プリント処理装置とを備えており、前記プリント注文端末は、画像の入力を受け付ける画像入力部と、前記画像のプリントオーダー情報の入力を受け付けるプリントオーダー情報入力部と、前記プリントオーダー情報に識別子を付与する識別子付与部と、前記識別子が付与されたプリントオーダー情報を前記プリント処理装置に送信するプリントオーダー情報送信部と、前記識別子をプリントした受付票を出力する受付票出力部とを備え、前記プリント処理装置は、前記プリントオーダー情報送信部から送信されたプリントオーダー情報を格納するプリントオーダー情報格納部と、前記受付票にプリントされた識別子を読み取る識別子読み取り部と、前記識別子に対応するプリントオーダー情報を前記プリントオーダー情報格納部から取得し、前記プリントオーダー情報に従ってプリントを実行するプリンタとを備える。
【００１１】
本発明の第２の態様に係るプリントシステムは、上記第１の態様において、前記プリント注文端末は、前記プリントオーダー情報に基づいてプリント代金を算出し、前記プリント代金の決済処理を行う決済処理部と、前記決済処理部により、前記プリントオーダー情報に関する決済処理が終了したことを前記プリント処理装置に通知する決済終了通知部とを更に備え、前記プリント処理装置は、前記プリントオーダー情報送信部から送信され、前記プリントオーダー情報格納部に格納されたプリントオーダー情報に基づくプリントの実行を不許可とし、前記プリントオーダー情報に関する決済処理が終了したことが前記決済終了通知部から通知された場合に、前記プリントオーダー情報に基づくプリントの実行を許可するプリンタ制御部を更に備えるように構成されている。
【００１２】
本発明の第３の態様に係るプリントシステムは、上記第１の態様において、前記プリント処理装置は、前記プリントオーダー情報に基づいてプリント代金を算出し、前記プリント代金の決済処理を行う決済処理部と、前記決済処理部による決済処理が終了したことを検出する決済終了検出部と、前記プリントオーダー情報送信部から送信され、前記プリントオーダー情報格納部に格納されたプリントオーダー情報に基づくプリントの実行を不許可とし、前記プリントオーダー情報に関する決済処理が終了したことが前記決済終了検出部によって検出された場合に、前記プリントオーダー情報に基づくプリントの実行を許可する第１のプリンタ制御部とを更に備えるように構成されている。
【００１３】
本発明の第４の態様に係るプリントシステムは、上記第３の態様において、前記決済終了検出部は、前記受付票にプリントされた識別子を読み取って、前記識別子に対応するプリントオーダー情報に関する決済処理が終了したことを検出するように構成されている。
【００１４】
本発明の第５の態様に係るプリントシステムは、上記第１から第４の態様において、前記プリントオーダー情報入力部は、前記画像のプリント枚数及びプリントサイズを示す情報をプリントオーダー情報として受け付けるように構成されている。
【００１５】
本発明の第６の態様に係るプリントシステムは、上記第１から第５の態様において、前記受付票出力部は、前記識別子を含むバーコード又は２次元コードを生成してプリントするように構成されている。
【００１６】
本発明の第７の態様に係るプリントシステムは、上記第１から第６の態様において、前記プリント処理装置は、前記プリンタの動作状況を監視するプリンタ監視部と、前記プリンタに不具合が検出された場合に、前記プリンタに前記プリントの実行を中断させる第２のプリンタ制御部とを更に備えるように構成されている。
【００１７】
本発明の第８の態様に係るプリントシステムは、上記第７の態様において、前記プリント処理装置は、前記プリンタを複数備えており、前記第２のプリンタ制御部は、前記プリントの実行が中断された場合に、前記複数のプリンタのうちから前記中断されたプリントを再開するのに適したプリンタを選択し、前記プリンタの選択結果を出力するように構成されている。
【００１８】
本発明の第９の態様に係るプリントシステムは、上記第８の態様において、前記第２のプリンタ制御部は、前記複数のプリンタの稼働状況、各プリンタの消耗材の残量及び前記中断されたプリントの実行に必要な消耗材の量のうち少なくとも１つの情報に基づいて、前記中断されたプリントを再開するのに適したプリンタを選択するように構成されている。
【００１９】
本発明の第１０の態様に係るプリントシステムは、上記第８又は第９の態様において、前記第２のプリンタ制御部は、前記選択したプリンタに前記プリントの実行予約を指示する予約情報を送信し、前記予約情報を受信したプリンタは、前記予約情報に基づくプリント再開の指示のみを受け付けるように構成されている。
【００２０】
本発明の第１１の態様に係るプリントシステムは、上記第８から第１０の態様において、前記第２のプリンタ制御部は、前記プリントが中断されたプリンタ以外のプリンタにおいてプリントが実行中であることが前記プリンタ監視部により検出された場合に、プリント再開を待つように促す通知を出力する一方、前記プリントが中断されたプリンタ以外のプリンタによるプリントが停止したことが検出された場合に、前記プリントが停止したプリンタにおいて、前記中断されたプリントを再開するよう促す通知を出力するように構成されている。
【００２１】
本発明の第１２の態様に係るプリントシステムは、上記第８から第１１の態様において、前記第２のプリンタ制御部は、前記プリントオーダーに従ってプリントを実行する前に、前記プリントオーダーに従ってプリントジョブを実行した場合にプリントジョブが中断するか否かを前記プリンタ内の消耗材の残量に応じて判断し、前記プリントが中断すると判断した場合に、他のプリンタに移動してプリントジョブを開始するよう促す通知を出力するように構成されている。
【００２２】
本発明の第１３の態様に係るプリントシステムは、上記第８から第１２の態様において、前記第２のプリンタ制御部は、前記プリントが中断されてから所定の期間以内に、前記中断されたプリントが前記他のプリンタにおいて再開されなかった場合、前記プリントオーダーを前記プリントオーダー情報格納部から削除するように構成されている。
【発明の効果】
【００２３】
本発明によれば、利用者が受付票をプリント処理装置に所望のタイミングで持参して写真を受け取ることができる。更に、本実施形態によれば、利用者が所望のタイミングで写真を受け取るための設備に要するコスト及び人的コストを抑えることができる。
【図面の簡単な説明】
【００２４】
【図１】本発明の第１の実施形態に係るプリントシステムの外観を示す図
【図２】本発明の第１の実施形態に係るプリントシステムを示すブロック図
【図３】オーダー受付端末１００を示すブロック図
【図４】オーダー管理装置２００を示すブロック図
【図５】プリント処理装置３００を示すブロック図
【図６】本発明の第１の実施形態に係るプリントシステム１０における処理の流れを示すフローチャート
【図７】共用モニタ５００に出力されるＧＵＩを示す図
【図８】本発明の第２の実施形態に係るオーダー受付端末１００を示すブロック図
【図９】本発明の第２の実施形態に係るプリントシステム１０における処理の流れを示すフローチャート
【図１０】本発明の第３の実施形態に係るオーダー管理装置２００を示すブロック図
【図１１】本発明の第３の実施形態に係るプリントシステム１０における処理の流れを示すフローチャート
【発明を実施するための形態】
【００２５】
以下、添付図面に従って本発明に係るプリントシステム及びプリント処理装置の好ましい実施の形態について説明する。
【００２６】
［第１の実施形態］
図１は、本発明の第１の実施形態に係るプリントシステムの外観を示す図であり、図２は、本発明の第１の実施形態に係るプリントシステムを示すブロック図である。
【００２７】
本実施形態に係るプリントシステム１０は、オーダー受付端末１００、オーダー管理装置２００、プリント処理装置３００及びプリンタ４００を備えている。オーダー受付端末１００、オーダー管理装置２００及びプリント処理装置３００は、ＬＡＮ接続されている。
【００２８】
オーダー管理装置２００及びプリント処理装置３００は、カウンタＣＴＲの内側に配置されており、オペレータＯ１によって管理されている。
【００２９】
カウンタＣＴＲには、共用モニタ５００及びバーコードリーダ６００が配置されている。共用モニタ５００は、モニタ出力切替器５０２を介してオーダー管理装置２００及びプリント処理装置３００に接続されており、オーダー管理装置２００及びプリント処理装置３００からの出力を切替表示可能になっている。
【００３０】
なお、図１に示す例では、オーダー管理装置２００及びプリント処理装置３００は、それぞれデスクトップ型及びラップトップ型のパーソナルコンピュータとして示されているが、オーダー管理装置２００及びプリント処理装置３００の形態は、これに限定されるものではない。
【００３１】
オーダー受付端末１００は、利用者Ｕ１から画像データ及びプリントオーダー（各画像のプリント枚数及びプリントサイズ）を含むオーダー情報の入力を受け付ける。オーダー受付端末１００は、受け付けたオーダー情報に固有のオーダーＩＤを割り当てる。
【００３２】
オーダー受付端末１００は、上記オーダー情報をオーダー管理装置２００に送信する。また、オーダー受付端末１００は、上記オーダーＩＤを含むバーコードＣ１を生成し、受付票（以下、レシートという。）Ｒ１にプリントして出力する。なお、オーダーＩＤは、例えば、２次元コード（例えば、ＱＲコード（登録商標）又はカラーコード）としてプリントしてもよい。
【００３３】
オーダー管理装置２００は、オーダー受付端末１００からオーダー情報を受信して格納する。
【００３４】
利用者Ｕ１は、レシートＲ１を受け取るとカウンタＣＴＲに移動する。そして、利用者Ｕ１は、バーコードリーダ６００を用いて、レシートＲ１にプリントされたバーコードＣ１を読み取る。
【００３５】
図２に示すように、バーコードリーダ６００は、プリント処理装置３００に接続されている。プリント処理装置３００は、バーコードリーダ６００によって読み取られたバーコードＣ１からオーダーＩＤを取得する。そして、プリント処理装置３００は、上記オーダーＩＤに対応するプリントオーダーに基づいて画像のプリントを実行してよいかどうかを確認するメッセージを共用モニタ５００に表示する。
【００３６】
プリント処理装置３００は、共用モニタ５００の画面上に設けられたタッチパネル５０４を介してプリントの実行指示の入力を受け付けると、上記オーダーＩＤに対応するプリントの実行指示をオーダー管理装置２００に送信する。
【００３７】
オーダー管理装置２００は、プリント処理装置３００からプリントの実行指示を受信すると、上記バーコードリーダ６００によって読み取られたオーダーＩＤに対応するオーダー情報をRIP PC７００を介してプリンタ４００に送信する。
【００３８】
RIP PC（Raster Image Processor PC）７００は、ポストスクリプト等のベクトル画像データを、印刷用の画像データ（ビットマップ画像又はラスター画像）に変換する。
【００３９】
プリンタ４００は、タッチパネル５０４からのプリント実行指示に応じて画像のプリントを実行する。これにより、利用者Ｕ１は、所望のタイミングでプリントを実行させて、写真を受け取ることが可能になる。
【００４０】
次に、オーダー受付端末１００、オーダー管理装置２００及びプリント処理装置３００の構成について、図３から図５を参照して説明する。
【００４１】
図３は、オーダー受付端末１００を示すブロック図である。
【００４２】
図３に示すように、オーダー受付端末１００は、ＣＰＵ１０２、プログラムメモリ１０４、ワークメモリ１０６、通信インターフェース部（通信Ｉ／Ｆ）１０８、モニタ１１０、表示制御部１１２、タッチパネル１１４、タッチパネルインターフェース部（タッチパネルＩ／Ｆ）１１６、メモリカードリーダ１１８、レシートプリンタ１２０及びレシートプリンタインターフェース部（レシートプリンタＩ／Ｆ）１２２を備えている。
【００４３】
ＣＰＵ１０２は、バス１２６を介してオーダー受付端末１００内の各部に接続されており、タッチパネル１１４を含む操作部からの操作入力に従って各部を制御する。
【００４４】
プログラムメモリ１０４は、オーダー受付端末１００を制御するためのプログラム及びデータを格納する。ワークメモリ１０６は、ＣＰＵ１０２が各種の処理を行うための作業用領域を含んでいる。
【００４５】
通信Ｉ／Ｆ１０８は、ＬＡＮを介してオーダー管理装置２００及びプリント処理装置３００に接続するための機器である。
【００４６】
メモリカードリーダ１１８は、利用者Ｕ１のメモリカード１１６から画像データを読み取る。
【００４７】
モニタ１１０は、メモリカードリーダ１１８を介して利用者Ｕ１のメモリカード１１６から読み取った画像を表示するとともに、利用者Ｕ１がプリントオーダーを入力するときに、各種の操作メニューを表示する。表示制御部１１２は、ＣＰＵ１０２からの指令に従ってモニタ１１０の表示を制御する。
【００４８】
タッチパネル１１４は、モニタ１１０の表示画面に設けられており、利用者Ｕ１０からのプリントオーダー（各画像のプリント枚数及びサイズ）の入力を受け付ける。
【００４９】
ＣＰＵ１０２は、プリントオーダーが入力されて確定された場合に、画像データ及びプリントオーダーをひとまとまりのオーダー情報として、固有のオーダーＩＤを付与してオーダー管理装置２００に送信する。更に、ＣＰＵ１０２は、オーダーＩＤを含むバーコードを生成し、レシートプリンタ１２０によりプリント出力する。
【００５０】
図４は、オーダー管理装置２００を示すブロック図である。
【００５１】
図４に示すように、オーダー管理装置２００は、例えば、デスクトップ型のパーソナルコンピュータであり、ＣＰＵ２０２、メインメモリ２０４、ハードディスクドライブ２０６、プリントオーダーデータベース（オーダーＤＢ）２０８、表示制御部２１２、キーボード２１４、マウス２１６、マウスコントローラ２１８及び通信インターフェース部（通信Ｉ／Ｆ）２２０を備えている。更に、オーダー管理装置２００には、プリンタ４００が接続されている。
【００５２】
ＣＰＵ２０２は、バス２２２を介してオーダー管理装置２００内の各部に接続されており、キーボード２１４及びマウス２１６を含む操作部からの操作入力に従って各部を制御する。
【００５３】
メインメモリ２０４は、ＣＰＵ２０２が各種の処理を行うための作業用領域を含んでいる。
【００５４】
ＨＤＤ２０６は、オペレーティングシステム（ＯＳ）のほか、各種のアプリケーションソフト（ブラウザソフトを含む）を格納する。
【００５５】
オーダーＤＢ２０８は、オーダー受付端末１００から送信されたオーダー情報を格納する。なお、図５では、オーダーＤＢ２０８は、ＨＤＤ２０６とは別のブロックとして示しているが、ＨＤＤ２０６内に設けるようにしてもよい。
【００５６】
通信Ｉ／Ｆ２２０は、ＬＡＮを介してオーダー受付端末１００及びプリント処理装置３００に接続するための機器である。
【００５７】
表示制御部２１２は、ＣＰＵ２０２からの指令に従って、モニタ出力切替器５０２を介して接続された共用モニタ５００の表示を制御する。なお、オーダー管理装置２００に専用のモニタを設けてもよい。
【００５８】
キーボード２１４及びマウス２１６は、オペレータＯ１からの操作入力を受け付けて、操作入力に応じた信号をＣＰＵ２０２に入力する。
【００５９】
マウスコントローラ２１８は、マウス２１６の移動方向及び移動距離を検出してＣＰＵ２０２に出力する。ＣＰＵ２０２は、マウスコントローラ２１８からの出力に従って共用モニタ５００におけるマウスポインタの位置を制御する。
【００６０】
図５は、プリント処理装置３００を示すブロック図である。
【００６１】
図５に示すように、プリント処理装置３００は、例えば、ラップトップ型のパーソナルコンピュータであり、ＣＰＵ３０２、メインメモリ３０４、ハードディスクドライブ３０６、通信インターフェース部（通信Ｉ／Ｆ）３０８、モニタ３１０、表示制御部３１２、キーボード３１４、マウス３１６、マウスコントローラ３１８を備えている。更に、プリント処理装置３００には、バーコードリーダ６００が接続されている。
【００６２】
ＣＰＵ３０２は、バス３２０を介してプリント処理装置３００内の各部に接続されており、キーボード３１４及びマウス３１６を含む操作部からの操作入力に従って各部を制御する。
【００６３】
メインメモリ３０４は、ＣＰＵ３０２が各種の処理を行うための作業用領域を含んでいる。
【００６４】
ＨＤＤ３０６は、オペレーティングシステム（ＯＳ）のほか、各種のアプリケーションソフト（ブラウザソフトを含む）を格納する。
【００６５】
通信Ｉ／Ｆ３０８は、ＬＡＮを介してオーダー受付端末１００及びオーダー管理装置２００に接続するための機器である。
【００６６】
表示制御部３１２は、ＣＰＵ２０２からの指令に従って、モニタ３１０、及びモニタ出力切替器５０２を介して接続された共用モニタ５００の表示を制御する。
【００６７】
タッチパネル５０４は、共用モニタ５００の表示画面に設けられており、利用者Ｕ１０からのプリント実行指示の入力を受け付ける。
【００６８】
キーボード３１４及びマウス３１６は、オペレータＯ１からの操作入力を受け付けて、操作入力に応じた信号をＣＰＵ３０２に入力する。
【００６９】
マウスコントローラ３１８は、マウス３１６の移動方向及び移動距離を検出してＣＰＵ３０２に出力する。ＣＰＵ３０２は、マウスコントローラ３１８からの出力に従ってモニタ３１０等におけるマウスポインタの位置を制御する。
【００７０】
ＣＰＵ３０２は、バーコードリーダ６００を介してオーダーＩＤを取得すると、上記オーダーＩＤに対応するプリントオーダーに基づいて画像のプリントを実行してよいかどうかを確認するメッセージを共用モニタ５００に表示する。そして、ＣＰＵ３０２は、タッチパネル５０４からプリント実行指示の入力を受け付けると、上記バーコードリーダ６００によって読み取られたオーダーＩＤに対応するプリントの実行指示をオーダー管理装置２００に送信する。
【００７１】
オーダー管理装置２００は、プリント処理装置３００からプリント実行指示を受信すると、上記バーコードリーダ６００によって読み取られたオーダーＩＤに対応するオーダー情報をオーダーＤＢ２０８から読み出し、RIP PC７００（図４では省略）を介してプリンタ４００に送信し、プリントを実行する。
【００７２】
図６は、本発明の第１の実施形態に係るプリントシステム１０における処理の流れを示すフローチャートである。また、図７は、共用モニタ５００に出力されるＧＵＩを示す図である。
【００７３】
まず、オーダー受付端末１００において、画像データ及び各画像のプリント枚数及びプリントサイズを含むオーダー情報の入力を受け付けられると（ステップＳ１０）、入力されたプリントオーダーを識別するための固有のオーダーＩＤを含むバーコードＣ１がプリントされたレシートＲ１が出力される（ステップＳ１２）。また、上記オーダーＩＤが付与されたオーダー情報がオーダー管理装置２００に送信される（ステップＳ１４）。
【００７４】
次に、プリント処理装置３００に接続されたバーコードリーダ６００によって、レシートＲ１がスキャンされ（ステップＳ１６）、バーコードＣ１からオーダーＩＤが読み取られる（ステップＳ１８のＹｅｓ）。ステップＳ１６では、図７（ａ）に示すバーコードの読み取りを促すメッセージが共用モニタ５００に表示される。また、ステップＳ１８において、オーダーＩＤの読み取りに失敗した場合には、図７（ｂ）に示す画面が共用モニタ５００に表示される。
【００７５】
次に、オーダーＩＤの読み取りに成功した場合には、図７（ｃ）に示す画面が共用モニタ５００に表示される。タッチパネル５０４からプリント実行指示が入力されると（ステップＳ２０）、バーコードリーダ６００によって読み取られたオーダーＩＤがプリント処理装置３００からオーダー管理装置２００に送信される（ステップＳ２２）。
【００７６】
次に、上記オーダーＩＤに対応するオーダー情報がオーダーＤＢ２０８から読み出されて、プリンタ４００に送信され（ステップＳ２４）、プリントが実行される（ステップＳ２６からＳ３０）。このとき、共用モニタ５００には、図７（ｄ）に示すプリント実行中であることを示すメッセージが表示される。
【００７７】
そして、プリントが終了すると（ステップＳ２８のＮｏ）、図７（ｅ）に示す画面が共用モニタ５００に表示され、写真が排出される（ステップＳ３２）。
【００７８】
最後に、カウンタＣＴＲのＰＯＳレジにおいて、利用者Ｕ１０とカウンタＣＴＲ内のオペレータＯ１との間で、プリント代金の会計処理（決済処理）が行われる（ステップＳ３４）。
【００７９】
一方、プリンタ４００に不具合が生じた場合、例えば、紙づまり又は消耗材（例えば、プリント用紙又はインク）がなくなった場合（ステップＳ２８のＹｅｓ）、プリントが中断され、共用モニタ５００及びモニタ３１０に、プリンタ４００によるプリントが中断されたことが表示される（ステップＳ３０）。これにより、オペレータＯ１によるプリンタ４００の復旧作業（修理、消耗材の補充）が可能となる。
【００８０】
なお、プリンタ４００Ａ、４００Ｂ、…を複数設けておき、１のプリンタ４００Ａでプリントが中断された場合に、別のプリンタ４００Ｂでプリントを続行できるようにしてもよい。この場合、例えば、プリンタ４００、共用モニタ５００及びバーコードリーダ６００を複数組設ける。プリントが中断された時点で未プリントの画像のオーダー情報がオーダーＤＢ２０８に格納される。そして、プリントを再開するプリンタ４００Ｂと対になるバーコードリーダ６００ＢにレシートＲ１のバーコードＣ１を読み取らせることにより、上記ステップＳ１６からＳ３４の処理が開始され、未プリントの画像がプリンタ４００Ｂによりプリントされる。
【００８１】
なお、プリント処理装置３００によって、複数のプリンタ４００Ａ、４００Ｂ、…の稼働状況、各プリンタの消耗材（例えば、プリント用紙及びインク）の残量及び中断されたプリントの実行に必要な消耗材の量を検出し、中断されたプリントを再開するのに適したプリンタを自動的に選択し、選択結果を共用モニタ５００に出力するようにしてもよい。また、自動的に選択されたプリンタに対して、未プリントの画像のオーダー情報を含む予約情報を送信して、当該プリンタが予約情報に基づくプリント再開の指示のみを受け付けるようにしてもよい。
【００８２】
また、プリントが中断されたプリンタ４００Ａ以外のすべてのプリンタにおいて他のプリントが実行中であること場合には、プリント再開を待つように促す通知を出力するようにしてもよい。また、プリントが中断されたプリンタ４００Ａ以外のプリンタのいずれかによるプリントが停止したことが検出された場合に、プリントが停止したプリンタにおいて、前記中断されたプリントを再開するよう促す通知を出力するようにしてもよい。
【００８３】
また、バーコードリーダ６００によってレシートＲ１のバーコードＣ１が読み取られた場合に（ステップＳ１６、Ｓ１８のＹｅｓ）、オーダー情報に従ってプリントを実行する前に、オーダー情報に従ってプリントジョブを実行した場合にプリントジョブが中断するか否かをプリンタ４００内の消耗材の残量に応じて判断し、プリントが中断すると判断した場合に（即ち、オーダー情報に従ってプリントを完了するためには消耗材が足りないと判断された場合に）、プリントを実行不可能であることを示す通知、又は他のプリンタに移動してプリントジョブを開始するよう促す通知を共用モニタ５００、又はモニタ３１０に出力するようにしてもよい。
【００８４】
前記第２のプリンタ制御部は、前記プリントが中断されてから所定の期間以内に、前記中断されたプリントが前記他のプリンタにおいて再開されなかった場合、オーダー情報をオーダーＤＢ２０８から削除するようにしてもよい。
【００８５】
本実施形態によれば、利用者Ｕ１がレシートＲ１をカウンタＣＴＲに所望のタイミングで持参して写真を受け取ることができる。更に、本実施形態によれば、利用者Ｕ１０が所望のタイミングで写真を受け取るための設備に要するコスト及び人的コストを抑えることができる。
【００８６】
［第２の実施形態］
次に、本発明の第２の実施形態について説明する。
【００８７】
図８は、本発明の第２の実施形態に係るオーダー受付端末１００を示すブロック図である。
【００８８】
図８に示すように、本実施形態に係るオーダー受付端末１００は、プリント代金の入金及び釣り銭の支払いを行うためのコインマシン１２８を更に備えている。
【００８９】
なお、オーダー管理装置２００及びプリント処理装置３００については、上記第１の実施形態と同様である。
【００９０】
図９は、本発明の第２の実施形態に係るプリントシステム１０における処理の流れを示すフローチャートである。
【００９１】
まず、オーダー受付端末１００において、画像データ及び各画像のプリント枚数及びプリントサイズを含むオーダー情報の入力を受け付けられると（ステップＳ５０）、入力されたプリントオーダーを識別するための固有のオーダーＩＤを含むバーコードＣ１がプリントされたレシートＲ１が出力される（ステップＳ５２）。
【００９２】
また、上記オーダーＩＤが付与されたオーダー情報がオーダー管理装置２００に送信される。オーダー管理装置２００は、上記オーダー情報をホールド設定する（ステップＳ５４）。ここで、ホールド設定とは、バーコードリーダ６００からオーダーＩＤを入力しても、プリントの実行を許可しないようにする設定である。
【００９３】
次に、オーダー受付端末１００によって、プリント枚数及びプリントサイズに基づいてプリント代金が算出される。そして、モニタ１１０にプリント代金が表示されて、コインマシン１２８により会計処理が行われる（ステップＳ５６）。会計処理が終了すると、オーダー受付端末１００からオーダー管理装置２００に会計処理の終了通知が送信される。オーダー管理装置２００は、会計処理の終了通知を受信すると、当該オーダー情報に対するホールド設定を解除する。これにより、バーコードリーダ６００からオーダーＩＤを入力することにより、当該オーダーＩＤのプリントの実行が可能になる。
【００９４】
なお、ステップＳ６０からＳ７６は、それぞれ図６のステップＳ１６からＳ３２と同様であるため説明を省略する。
【００９５】
本実施形態によれば、上記オーダー受付端末１００で会計処理が事前に終了するので、利用者Ｕ１は写真の受け取りに要する時間をより減らすことができる。更に、本実施形態によれば、会計処理のためにオペレータＯ１が常駐する必要がないので、人的コストを更に抑えることができる。
【００９６】
［第３の実施形態］
次に、本発明の第３の実施形態について説明する。
【００９７】
図１０は、本発明の第３の実施形態に係るオーダー管理装置２００を示すブロック図である。
【００９８】
図１０に示すように、本実施形態に係るオーダー管理装置２００は、バーコードリーダ８００及びバーコードリーダインターフェース部（バーコードリーダＩ／Ｆ）８０２を更に備えている。
【００９９】
図１１は、本発明の第３の実施形態に係るプリントシステム１０における処理の流れを示すフローチャートである。
【０１００】
まず、オーダー受付端末１００において、画像データ及び各画像のプリント枚数及びプリントサイズを含むオーダー情報の入力を受け付けられると（ステップＳ８０）、入力されたプリントオーダーを識別するための固有のオーダーＩＤを含むバーコードＣ１がプリントされたレシートＲ１が出力される（ステップＳ８２）。
【０１０１】
また、上記オーダーＩＤが付与されたオーダー情報がオーダー管理装置２００に送信される。オーダー管理装置２００は、上記オーダー情報をホールド設定する（ステップＳ８４）。ここで、ホールド設定とは、バーコードリーダ６００からオーダーＩＤを入力しても、プリントの実行を許可しないようにする設定である。
【０１０２】
次に、オーダー受付端末１００によって、プリント枚数及びプリントサイズに基づいてプリント代金が算出され、ＰＯＳレジにおいて会計処理が行われる（ステップＳ８６）。そして、オペレータＯ１がオーダー管理装置２００に設けられたバーコードリーダ８００によりレシートＲ１上のバーコードＣ１が読み取られると、オーダー管理装置２００は、当該オーダー情報に対するホールド設定を解除する。これにより、バーコードリーダ６００からオーダーＩＤを入力することにより、当該オーダーＩＤのプリントの実行が可能になる。
【０１０３】
なお、ステップＳ９２からＳ１０８は、それぞれ図６のステップＳ１６からＳ３２と同様であるため説明を省略する。
【０１０４】
本実施形態によれば、会計処理が事前に終了するので、利用者Ｕ１は写真の受け取りに要する時間をより減らすことができる。
【０１０５】
なお、バーコードリーダ６００と８００は、例えば、読み取ったバーコード情報の出力先の切替機構を設けることにより共通にしてもよい。
【符号の説明】
【０１０６】
１０…プリントシステム、１００…オーダー受付端末、２００…オーダー管理装置、３００…プリント処理装置、４００…プリンタ、５００…共用モニタ、５０２…モニタ出力切替器、６００…バーコードリーダ、７００…RIP PC
【図１】
0005451824.tif 000002
【図２】
0005451824.tif 000003
【図３】
0005451824.tif 000004
【図４】
0005451824.tif 000005
【図５】
0005451824.tif 000006
【図６】
0005451824.tif 000007
【図７】
0005451824.tif 000008
【図８】
0005451824.tif 000009
【図９】
0005451824.tif 000010
【図１０】
0005451824.tif 000011
【図１１】
0005451824.tif 000012